(57)【特許請求の範囲】
【請求項１】
入射面から入射された光を、導光路を通過させて出射面から出射させる導光体において、
前記入射面は、幅方向に長い形状であり、
前記出射面は、前記幅方向に直交する高さ方向に長い形状であり、
前記導光路は、
前記入射面から入射された光を前記出射面へ導き、
当該導光体とともに用いられる機器の筐体に設置され、前記入射面が前記筐体の前面側に、前記出射面が前記機器の背面側に向けられることを特徴とする導光体。
【請求項２】
前記入射面に対向して設けられ、前記入射面から入射した光を前記導光路側へ反射する反射面をさらに備え、
前記導光路は、
前記反射面により反射された光を前記出射面へ導く、請求項１に記載の導光体。
【請求項３】
前記出射面は、
前記反射面側となる前記入射面の法線方向へ光を出射する、
請求項２に記載の導光体。
【請求項４】
前記入射面および前記出射面を接続する導光部材をさらに備え、
前記導光部材にスリットを複数形成し、前記スリットの間を前記導光路としている、請求項１から３の何れか一つに記載の導光体。
【請求項５】
前記導光部材は、中心角度が略９０度の扇状であって、
前記入射面および前記反射面は、前記導光部材の半径部に形成されており、
前記スリットは、
扇状の中点を中心として円弧状に形成されている、
請求項４に記載の導光体。
【請求項６】
入射面から入射された光を、導光路を通過させて出射面から出射させる導光体において、
前記入射面は、幅方向に長い形状であり、
前記出射面は、前記幅方向に直交する高さ方向に長い形状であり、
前記導光路は、前記入射面から入射された光を前記出射面へ導き、
前記入射面および前記出射面を接続する導光部材を備え、
前記導光部材にスリットを複数形成し、前記スリットの間を前記導光路とし、
前記導光部材は、中心角度が略９０度の扇状であって、
前記入射面および前記反射面は、前記導光部材の半径部に形成されており、
前記スリットは、扇状の中点を中心として円弧状に形成されている、
導光体。
【請求項７】
前記導光路は、前記スリットの円弧の半径によって決定された幅を有している、ことを特徴とする請求項５または請求項６に記載の導光体。
【請求項８】
前記導光部材の中点近傍に設けられ、前記反射面で反射した光を前記出射面へ導く直線状導光路、
をさらに備える請求項７に記載の導光体。
【請求項９】
前記入射面および前記反射面が形成された前記導光部材を二つ備えており、
二つの前記導光部材それぞれの前記反射面が対向し、かつ、対向する前記反射面間に沿った直線を中心に二つの前記導光部材が左右対称となるよう一体形成されている、
請求項５から８の何れか一つに記載の導光体。
【発明の詳細な説明】
【技術分野】
【０００１】
本発明は、入射した光、特に赤外線信号を、全反射しながら導光し、入射位置とは異なる位置から出射する導光体に関する。
【背景技術】
【０００２】
近年、一般家庭においても、臨場感のある音響を再生するために、テレビ又はプレーヤ等のＡＶ（Audio Visual）機器にスピーカが接続されることが多くなっている。このようなスピーカとして、これまでに、テレビスタンド前方に設置して使用するバースピーカと呼ばれるものが提案されている。バースピーカはバー状の一つの筐体に複数のスピーカが配列されて構成されている。しかしながら、テレビの下部にはリモートコントローラ（以下、リモコンという）から出力される赤外線信号を受光する受光部が設けられていることが多く、バースピーカを設置した場合、受光部がバースピーカにより隠れてしまい、テレビがリモコンからの赤外線信号を受光できなくなるといった問題があった。
【０００３】
そこで、バースピーカの前方から照射された赤外線信号を屈折させて、バースピーカの背面側に回り込ませ、テレビの受光部が赤外線信号を受光できるようにすることが提案されている。例えば、特許文献１に記載のように、光を屈折させるアクリル樹脂等を用いることが考えられている。特許文献１では、液晶表示装置において、筐体をアクリル樹脂等から構成し、その筐体内部で、光源から出射された光を複数回屈折させて、光学表示部へと効率的に導光している。この特許文献１のように、アクリル樹脂等からなる導光部材を利用して、例えばバースピーカの筐体の上面から背面にかけて導光部材を設置することで、バースピーカ前方から照射される赤外線信号を屈折させて、バースピーカの背面側に位置するテレビの受光部へ導光することが可能となる。
【先行技術文献】
【特許文献】
【０００４】
【特許文献１】特開２００４−３６１６６４号公報
【発明の概要】
【発明が解決しようとする課題】
【０００５】
この場合において、ユーザは常に同じ位置からリモコンを操作するとは限らないため、導光部材への赤外線信号の入射角がより広く許容されることが望まれる。また、テレビの受光部は全てのテレビにおいて同じ位置に設けられているわけではない。特に、テレビの幅方向に対する位置の変更は、設置する導光部材を幅方向へずらすことで容易に対応することができるが、高さ方向の位置の変更は容易に行えず、それに容易に対応できるようにすることが望まれる。
【０００６】
そこで、本発明の目的は、光の入射角をより広く許容でき、確実に所望の位置へと導光できる導光体を提供することにある。
【課題を解決するための手段】
【０００７】
本発明は、入射面から入射された光を、導光路を通過させて出射面から出射させる導光体において、前記入射面は、幅方向に長い形状であり、記出射面は、前記幅方向に直交する高さ方向に長い形状であり、前記導光路は、前記入射面から入射された光を前記出射面へ導くことを特徴とする。
【０００８】
この構成では、幅方向に広い入射面から入射した光が、入射面の面方向に沿って幅方向に直交する高さ方向に広い出射面へと導かれ、その出射面から出射される。これにより、例えば、導光体をテレビ受光部に対し幅方向に一致する位置に設置すれば、受光部の高さに関係なく、テレビ操作用の赤外線信号を受光部に対して出射することができる。また、この場合、入射面が幅方向に広いため、幅方向に広い範囲から光の入射を許容することができる。
【０００９】
本発明に係る導光体は、前記入射面に対向して設けられ、前記入射面から入射した光を前記導光路側へ反射する反射面をさらに備え、前記導光路は、前記反射面により反射された光を前記出射面へ導くことを特徴とする。
【００１０】
この構成では、例えば、入射面の法線方向（水平方向）に沿って入射した光を、傾斜面によって光を鉛直方向へ反射させることができるため、導光体が法線方向に大きくならないようにできる。
【００１１】
本発明に係る導光体において、前記出射面は、前記反射面側となる前記入射面の法線方向へ光を出射することを特徴とする。
【００１２】
この構成では、入射面に入射される光の進行方向と略同じ方向へ光を出射させることができる。これにより、上述のように、テレビ前方にバースピーカを設置した場合であっても、テレビ前方で操作したリモコンを、テレビ受光部へ導くことができる。
【００１３】
本発明に係る導光体は、前記入射面および前記出射面を接続する導光部材をさらに備え、前記導光部材にスリットを複数形成し、前記スリットの間を前記導光路としていることを特徴とする。
【００１４】
この構成では、スリットを設けて導光路を形成することで、導光路の幅を調整することが可能となる。導光路の幅を調整することで、入射された光を導光路で全反射させることができ、入射した光を無駄なく確実に出射面へと導くことができる。
【００１５】
本発明に係る導光体において、前記導光部材は、中心角度が略９０度の扇状であって、前記入射面および前記反射面は、前記導光部材の半径部に形成されており、前記スリットは、扇状の中点を中心として円弧状に形成されていることを特徴とする。
【００１６】
この構成では、円弧状のスリットが扇状の導光部材の中心としているため、スリットの大きさ（半径）が調整しやすく、これにより、導光路の幅も調整しやすくできる。
【００１７】
本発明に係る導光体において、前記導光路は、前記スリットの円弧の半径によって決定された幅を有している
この構成では、導光路の幅がスリットにより調整されている。円弧状の導光路で入射した光が全反射するには導光路の幅が影響する。このため、導光体の大きさに合わせてスリットの円弧の半径を決定し、その半径から円弧状導光路の幅を決定することで、導光体自体を大きくすることなく、最適な導光部を形成することができる。
【００１８】
本発明に係る導光体は、前記導光部材の中点近傍に設けられ、前記反射面で反射した光を前記出射面へ導く直線状導光路をさらに備えることを特徴とする。
【００１９】
この構成では、導光部材の中点近傍に直線状導光路を設けている。これにより、円弧状導光路を形成できない領域にも、導光路を形成することで、出射面全体に対して赤外線を導くことができるため、出射面全体から赤外線を外部へ出射することで、より確実に、出射先、例えば受光部に対して出射することができる。
【００２０】
本発明に係る導光体は、前記入射面および前記反射面が形成された前記導光部材を二つ備えており、二つの前記導光部材それぞれの前記反射面が対向し、かつ、対向する前記反射面間に沿った直線を中心に二つの前記導光部材が左右対称となるよう一体形成されていることを特徴とする。
【００２１】
この構成では、入射面を幅方向により広くすることができるため、幅方向により広い範囲から光の入射を許容することができる。
【発明の効果】
【００２２】
本発明によれば、光の入射角をより広く許容でき、確実に所望の位置へと導光することができる。
【図面の簡単な説明】
【００２３】
【図１】実施形態に係る導光モジュールの設置状態を示す図
【図２】（Ａ）は導光モジュールの上面図、（Ｂ）は正面図、（Ｃ）は下面図、（Ｄ）は側面図
【図３】導光モジュールの下方からの斜視図
【図４】赤外線が全反射する導光路の幅の決定方法を説明するための模式図
【図５】導光路に対する赤外線の入射角度を模式的に示す図
【図６】導光モジュールにおける赤外線の導光の軌跡を模式的に示す図
【図７】他の形状の導光路を有する導光モジュールを示す図
【発明を実施するための形態】
【００２４】
以下、本発明に係る導光体の好適な実施の形態について図面を参照して説明する。
【００２５】
図１は本実施形態に係る導光モジュールの設置状態を示す図である。本実施形態では、テレビ１００の前方、より具体的には、テレビ１００のテレビスタンド前方であって、テレビ１００の表示画面１０１と高さ方向において被らないようにバースピーカ２００が設置される。図１（Ａ）はバースピーカ２００をテレビ１００の前方に設置した状態の斜視図であり、図１（Ｂ）は側面視図である。
【００２６】
テレビ１００は、操作信号としての赤外線信号（以下、赤外線という）を受光する受光部１０２を備えている。受光部１０２が受光する赤外線はテレビ１００用のリモコン３００から送信される。受光部１０２は表示画面１０１の下方に設けられている。本実施形態では、受光部１０２が設けられたパネルに対向するようにバースピーカ２００が設けられている。このため、受光部１０２は、バースピーカ２００により遮られ、リモコン３００からの赤外線を直接受光することができない。
【００２７】
バースピーカ２００は一方向に長い直方体形状の筐体２０１を有している。バースピーカ２００は、筐体２０１の長手方向がテレビ１００の幅方向と一致し、かつ、筐体２０１の一面（以下、この面を背面という）がテレビ１００側となるようにテレビ１００の前方に設置されている。バースピーカ２００は、複数のスピーカ２０２，２０３，２０４，２０５，２０６を備えている。スピーカ２０２〜２０６は、筐体２０１の背面に平行な面（以下、前面という）の長手方向に沿って設けられている。バースピーカ２００は、図示しない配線によりテレビ１００と接続され、テレビ１００から音声信号を受信し、スピーカ２０２〜２０６により前方へ放音する。
【００２８】
バースピーカ２００には、導光モジュール１が設置されている。導光モジュール１は、図１（Ａ）に示すように、幅方向において、テレビ１００の受光部１０２と一致する位置で、バースピーカ２００の筐体２０１の上面および背面に沿って設置されている。導光モジュール１は、リモコン３００が操作され、図１（Ｂ）の点線矢印で示すように、バースピーカ２００前方から照射された赤外線が入射されると、内部で全反射を繰り返し、筐体２０１の背面の法線方向（図１（Ｂ）の実線矢印）へ出射するよう構成されている。
【００２９】
導光モジュール１から出射された赤外線は、テレビ１００の受光部１０２により受光される。このように、テレビ１００は、バースピーカ２００により受光部１０２が遮られていても、導光モジュール１を介して、赤外線を受光することができる。
【００３０】
なお、本実施形態に係る導光モジュール１は、入射角度が０度〜約（±）６０度の範囲で入射されたリモコン３００からの赤外線を、筐体２０１の背面の法線方向へ出射するよう構成されているものとする。より具体的には、導光モジュール１の真正面に位置するリモコン３００からの赤外線の入射角度を０度とした場合、導光モジュール１は、その位置を中心に水平方向に左右それぞれ６０度に移動されたリモコン３０１又はリモコン３０２からの赤外線をも筐体２０１の背面の法線方向へ出射する。これにより、ユーザは導光モジュール１を中心として広範囲にわたる位置からのリモコン操作が可能となる。
【００３１】
以下、導光モジュール１の具体的構成について詳述する。図２（Ａ）は導光モジュール１の上面図、図２（Ｂ）は正面図、図２（Ｃ）は下面図、図２（Ｄ）は側面図である。図３は導光モジュール１の下方からの斜視図である。
【００３２】
導光モジュール１は、例えばアクリル樹脂から形成されており、載置部１０および本体部２０を備えている。載置部１０は、側面視が略台形の板状であって、本体部２０の一面に略垂直に設けられている。導光モジュール１をバースピーカ２００に設置する際は、載置部１０をバースピーカ２００の筐体２０１の上面に載置する。
【００３３】
本体部２０は、約４ｍｍの厚みを有する板状の導光部材であって、正面視が略半円形となっている。載置部１０は、本体部２０の一面における直径側端部から所定距離（例えば、約４ｍｍ）離れた部分に略垂直に設けられている。従って、載置部１０をバースピーカ２００の筐体２０１の上面に載置すると、本体部２０は、半円形の直径をなす部分（以下、直径部という）が上方、円弧状の縁部分（以下、円弧部という）が下方となる状態で、筐体２０１の背面と略平行となって配置される（図１（Ｂ）参照）。
【００３４】
以下では、筐体２０１の背面と対向する本体部２０の面、すなわち、載置部１０が設けられている面を前面（正面）とし、その反対面を後面（背面）とする。導光モジュール１がバースピーカ２００に設置された場合、本体部２０の背面は、テレビ１００の受光部１０２側となる。
【００３５】
また、図２（Ｂ）に示すように、本体部２０の前面における直径部と載置部１０との間の部分に入射面２０Ａが形成される。入射面２０Ａは、リモコン３００からの赤外線を入射する面であり、導光モジュール１の幅方向を長手方向とする長方形状となっている。
【００３６】
また、本体部２０は、図２（Ｄ）に示すように、直径部の背面側が略４５度にカットされて形成された傾斜面（以下、入射反射面という）２０Ｂを有している。この入射反射面２０Ｂは、入射面２０Ａと対向配置するように形成されている。後に詳述するが、入射面２０Ａから入射された赤外線は、入射反射面２０Ｂにより全反射して、本体部２０の内部である入射反射面２０Ｂの下方、すなわち円弧部へ向かうようになっている。
【００３７】
本体部２０は、図２（Ｂ）に示すように、中心角が略９０度の扇形状の導光板２１，２２を有し、導光板２１，２２が一体形成されて半円形を構成している。導光板２１，２２は、半円形の中心線Ｌに沿って形成された出射部２１Ａ，２２Ａを有している。この出射部２１Ａ，２２Ａは、中心線Ｌに沿った方向を長手方向とする長方形状であって、略４５度にカットされて形成された傾斜面を有している。入射面２０Ａから入射され、入射反射面２０Ｂで反射された赤外線は、導光板２１，２２内で全反射し、出射部２１Ａ，２２Ａまで導かれる。そして、赤外線は、４５度をなす出射部２１Ａ，２２Ａの傾斜面により反射して、本体部２０の背面側から出射されるようになる（図１（Ｂ）の点線矢印参照）。
【００３８】
出射部２１Ａ，２２Ａは、傾斜面が頂部を構成するように、長辺が密着していてもよいし、僅かな間隔が設けられていてもよい。図２（Ｂ）では間隔が設けられた構成を示している。また、入射面２０Ａの長手方向における中央部の下方であって、出射部２１Ａ，２２Ａの長手方向の端部（の載置部１０側）には、略４５度に傾斜した傾斜面２３が設けられている。入射面２０Ａの長手方向における中央部から赤外線が入射された場合、入射反射面２０Ｂで鉛直下方向に反射した赤外線は、４５度に傾斜した傾斜面２３により、導光モジュール１の背面側へ出射されるようになっている。
【００３９】
以下に導光板２１，２２において、入射された赤外線を出射部２１Ａ，２２Ａに導く導光路について具体的に説明するが、導光板２１，２２は、半円形状の本体部２０の中心線を中心に左右対称となる同形状であるため、導光板２１についてのみ説明する。導光板２２については、対応する符号を括弧書きで記載するものとする。なお、以下の説明で、中心部（交差部）とは本体部２０の半円形の中心点を言う。
【００４０】
導光板２１（２２）の中心部近傍には、本体部２０の直径に対して略４５度に傾く導光路２１１（２２１）を形成する孔２１Ｂ（２２Ｂ）が設けられている。導光路２１１（２２１）の端部は、出射部２１Ａ（２２Ａ）の長手方向に平行となるよう形成されている。
【００４１】
なお、導光路２１１（２２２）を形成する孔２１Ｂ（２２Ｂ）において、導光路２１１（２２２）の端部に対向する部分は、出射部２１Ａ（２２Ａ）の長手方向に対し所定角度で傾斜した面となっている。後に詳述するが、導光路２１１（２２２）の端部から出射された赤外線は、この孔２１Ｂ（２２Ｂ）の傾斜面で屈折し、幅方向から斜め上方向に向かうようになる。
【００４２】
また、導光板２１（２２）には、中心部から円弧側端部に向かって順に、中心部を中心とした円弧状のスリット２１Ｃ，２１Ｄ，２１Ｅ（２２Ｃ，２２Ｄ，２２Ｅ）が形成されている。孔２１Ｂ（２２Ｂ）およびスリット２１Ｃ，２１Ｄ，２１Ｅ（２２Ｃ，２２Ｄ，２２Ｅ）が形成されることによって、その間に赤外線を導光する円弧状の導光路２１２，２１３，２１４，２１５（２２２，２２３，２２４，２２５）が形成される。
【００４３】
各円弧状のスリット２１Ｃ，２１Ｄ，２１Ｅ（２２Ｃ，２２Ｄ，２２Ｅ）により形成される各導光路２１２，２１３，２１４，２１５（２２２，２２３，２２４，２２５）はＲ形状であるため、各導光路２１２，２１３，２１４，２１５（２２２，２２３，２２４，２２５）の半径が小さいと、導光路２１２，２１３，２１４，２１５（２２２，２２３，２２４，２２５）の境界面に対する赤外線の入射角度が垂直に近くなり、入射された赤外線がＲ部分で透過して全反射しない場合がある。この場合、赤外線は出射部２１Ａまで導かれなくなる。そこで、各導光路２１２，２１３，２１４，２１５（２２２，２２３，２２４，２２５）は、内部で赤外線が全反射するように所定の幅をもって形成される必要がある。
【００４４】
図４は、赤外線が全反射する導光路２１５の幅の決定方法を説明するための模式図である。なお、図４では、導光路２１５の幅の決定方法について説明しているが、他の導光路２１２，２１３，２１４（２２２，２２３，２２４）についても同様である。また、図４では、円弧状の導光路２１５の径Ｒとし、導光路２１５の幅ｔとする。径Ｒは、本体部２０の中心点から導光路２１５の幅の中央を通過する円弧（図中の一点鎖線）までの距離とする。
【００４５】
導光路２１５は、入射面２０Ａから入射され、入射反射面２０Ｂで反射した赤外線を出射部２１Ａまで導光する。しかしながら、上述のように、導光路２１５はＲ形状となっているため、赤外線がＲ部分で透過して全反射しないことで、出射部２１Ａまで赤外線が導光されなくなる。これを回避するために、径Ｒを大きくすれば、赤外線は導光路２１５で全反射するようになるが、一方で、導光モジュール１の大きさが大きくなる。そこで、導光路２１５の幅ｔを小さくすることで、導光路２１５内で赤外線が全反射するようになる。
【００４６】
この径Ｒおよび幅ｔは、導光路２１５に対する赤外線の入射角度を考慮して決定される。図５は、導光路２１５に対する赤外線の入射角度を模式的に示す図である。図５に示す直線の一点鎖線は、導光モジュール１の幅方向、すなわち、入射面２０Ａの長手方向に沿った、導光路２１５の入口部（赤外線の入射口）を示している。
【００４７】
導光モジュール１の入射面２０Ａに対して入射角度が０度で赤外線が入射された場合、赤外線は、入射反射面２０Ｂにより鉛直下方向に反射する。この場合、図中の点線矢印Ｘで示すように、赤外線は、導光路２１５の入口部に対しても入射角度が０度で、導光路２１５に入射される。
【００４８】
一方、導光モジュール１の入射面２０Ａに対して斜め方向から赤外線が入射された場合、赤外線は、入射反射面２０Ｂにより鉛直下方向でなく斜め下方向に反射する。この場合、図中の点線矢印Ｙで示すように、赤外線は、導光路２１５の入口部に対しても斜め方向から導光路２１５に入射される。
【００４９】
径Ｒおよび幅ｔは、図中の点線矢印Ｘ，Ｙの何れであっても、導光路２１５で全反射するよう決定される。本実施形態では、０度から約（±）６０度の範囲の入射角度（図１（Ａ）に示すリモコン３０１，３０２からの赤外線の入射角度）で入射した赤外線が、導光路２１５で全反射するように径Ｒおよび幅ｔを決定しており、これを充足する関係をＲ＝ｔ×５としている。すなわち、導光モジュール１の大きさを決定すれば径Ｒが決まるため、その径Ｒに応じて各導光路２１２〜２１５（２２２〜２２５）の幅ｔが決定する。そして、決定した幅ｔの各導光路２１２〜２１５（２２２〜２２５）が形成されるように各スリット２１Ｃ，２１Ｄ，２１Ｅ（２２Ｃ，２２Ｄ，２２Ｅ）を形成すればよい。
【００５０】
このように、斜め方向から赤外線が各導光路２１２〜２１５（２２２〜２２５）に入射されても、全反射して出射部２１Ａ（２２Ａ）へ導かれるようにすることで、ユーザは、導光モジュール１の真正面でリモコン３００を操作する必要がなく、導光モジュール１の真正面からずれた位置からでもリモコン３００を介してテレビ１００を操作することが可能となる。
【００５１】
なお、導光モジュール１の大きさを考慮する必要がない場合には、スリット２１Ｃ，２１Ｄ，２１Ｅ（２２Ｃ，２２Ｄ，２２Ｅ）を設けず、本体部２０の扇形状部分全体を導光路としてもよい。
【００５２】
以下に、上述のように構成された導光モジュール１における赤外線の導光について詳述する。以下の説明においても導光板２１についてのみ説明し、導光板２２については、対応する符号を括弧書きで記載するものとする。
【００５３】
図６は、導光モジュール１における赤外線の導光の軌跡を模式的に示す図である。図６（Ａ）は、入射面２０Ａおよび入射反射面２０Ｂ間における赤外線の軌跡を側面視した場合を示している。図６（Ｂ）は、導光路２１１，２１２，２１３，２１４，２１５（２２１，２２２，２２３，２２４，２２５）における赤外線の軌跡を正面視した場合を示している。図６（Ｃ）は、出射部２１Ａ（２２Ａ）における赤外線の軌跡を下方から視た場合を示している。
【００５４】
入射面２０Ａから入射された赤外線は、図６（Ａ）に示すように、入射反射面２０Ｂにおいて、本体部２０の下方へ反射する。このとき、リモコン３００が導光モジュール１の真正面で操作された場合、入射面２０Ａに対する赤外線の入射角度は０度となり、入射された赤外線は、入射反射面２０Ｂにおいて鉛直下方向へ反射する。一方、リモコン３００が導光モジュール１の斜め方向で操作された場合、入射面２０Ａに対して斜め方向から赤外線が入射される。この場合、赤外線は、入射反射面２０Ｂにおいて鉛直下方向ではなく斜め下方向へ反射する。
【００５５】
入射反射面２０Ｂにより反射した赤外線は、図６（Ｂ）に示すように、各導光路２１１，２１２，２１３，２１４，２１５（２２１，２２２，２２３，２２４，２２５）で全反射を繰り返し、出射部２１Ａ（２２Ａ）へと進む。
【００５６】
このとき、入射面２０Ａの長手方向の中央付近から入射された赤外線は、導光路２１１，２１２（２２１，２２２）等により、出射部２１Ａ（２２Ａ）の上部に導かれる。そして、図６（Ｃ）に示すように、出射部２１Ａ（２２Ａ）に入射された赤外線は、約４５度をなす出射部２１Ａ（２２Ａ）において本体部２０の背面側へ反射して出射される。
【００５７】
また、導光路２１１（２２１）の端部から出射された一部の赤外線は、上述した孔２１Ｂ（２２Ｂ）の傾斜面で屈折し、幅方向に対し斜め上方向にも向かうようになり、出射部２１Ａ（２２Ａ）の上部から本体部２０の背面側へ出射されるようになる。導光板２１（２２）の中心部近傍には、円弧状のスリットを形成する十分なスペースが確保できない場合がある。このため、入射面２０Ａの長手方向の中央部近傍から赤外線が入射された場合、出射部２１Ａ（２２Ａ）の上部から赤外線が出射されなくなる。この場合、赤外線が出射されない部分に対向する位置に、テレビ１００の受光部１０２が位置していると、受光部１０２は赤外線を受光できなくなる。このため、導光路２１１（２２１）を形成することで、斯かる問題を回避できる。
【００５８】
入射面２０Ａの長手方向の端部付近から入射された赤外線は、導光路２１３，２１４，２１５（２２３，２２４，２２５）等により、出射部２１Ａ（２２Ａ）の中央部から下部に導かれる。そして、出射部２１Ａ（２２Ａ）に入射された赤外線は、約４５度をなす出射部２１Ａ（２２Ａ）において本体部２０の背面側へ反射して出射される。また、入射面２０Ａの長手方向の中央部から入射された赤外線は、傾斜面２３により、本体部２０の背面側へ出射される。
【００５９】
このように、導光モジュール１は、幅方向に長い入射面２０Ａから入射した赤外線を、他か方向に長い出射部２１Ａ（２２Ａ）から出射することができる。このため、受光部１０２の高さがテレビ１００の種類によって異なっていても、高さ方向に長い出射部２１Ａ（２２Ａ）から赤外線を出射することで、導光モジュール１は、確実に赤外線を受光部１０２へ出射することができる。
【００６０】
また、各導光路２１１，２１２，２１３，２１４，２１５（２２１，２２２，２２３，２２４，２２５）では、赤外線が様々な角度で反射し、あらゆる方向へ進行するため、赤外線は、スリット２１Ｃ，２１Ｄ，２１Ｅ（２２Ｃ，２２Ｄ，２２Ｅ）と出射部２１Ａ（２２Ａ）との間にも回り込み、そこから出射部２１Ａ（２２Ａ）を介して出射される。このため、出射部２１Ａ（２２Ａ）全体から赤外線が出射されるため、導光モジュール１は、確実に赤外線を受光部１０２へ出射することができる。
【００６１】
また、図５で説明したように、各導光路２１１，２１２，２１３，２１４，２１５（２２１，２２２，２２３，２２４，２２５）は、斜め方向から赤外線が入射されても全反射するよう形成されている。このため、導光モジュール１は、入射面２０Ａに対して斜め方向から赤外線が入射された場合であって、赤外線を確実に出射部２１Ａ（２２Ａ）へ導いている。すなわち、導光モジュール１は、ユーザが導光モジュール１に対して真正面だけでなく、斜め方向からリモコン３００を操作しても、赤外線をテレビ１００側へ出射することができる。
【００６２】
以上、本実施形態に係る導光モジュール１について説明したが、導光モジュール１の具体的構成などは、適宜設計変更可能であり、上述の実施形態に記載された作用及び効果は、本発明から生じる最も好適な作用及び効果を列挙したに過ぎず、本発明による作用及び効果は、上述の実施形態に記載されたものに限定されるものではない。
【００６３】
例えば、導光モジュール１は、半円形状を形成するよう、導光板２１，２２が一体形成されて構成されているものとしたが、導光板２１または導光板２２のみから構成されていてもよい。また、導光板２１，２２の径Ｒおよび各導光路２１２，２１３，２１４，２１５（２２２，２２３，２２４，２２５）の幅ｔの関係であるＲ＝ｔ×５は、入射面２０Ａに対する赤外線の入射角度に応じて適宜変更可能である。
【００６４】
また、導光路２１２，２１３，２１４，２１５は円弧状としているがこれに限定されない。図７は、他の形状の導光路を有する導光モジュール１を示す図である。なお図７では、図２における導光板２２側のみ示しているが、導光板２１側も同様の構成とする。
【００６５】
図７（Ａ）に示すように、導光モジュール１の入射面２０Ａからの赤外線を出射部２２Ａへ導く導光板２５は直線状であってもよい。すなわち、入射面２０Ａ、出射部２２Ａおよび導光板２５は、導光モジュール１を正面視した場合に、三角形状となっている。この導光板２５には、入射面２０Ａおよび出射部２２Ａの長手方向に傾斜したスリット２５１Ａ，２５２Ａ，２５３Ａが形成され、各スリット２５１Ａ，２５２Ａ，２５３Ａの間を導光路２５１，２５２，２５３としている。
【００６６】
また、図７（Ｂ）に示すように、導光モジュール１の入射面２０Ａからの赤外線を出射部２２Ａへ導く導光板２６は円弧状であってもよい。この場合、導光板２６は、入射面２０Ａおよび出射部２２Ａ側に膨らんだ円弧状を有している。この導光板２６に、スリット２６１Ａ，２６２Ａが形成され、各スリット２６１Ａ，２６２Ａの間を導光路２６１，２６２としている。
【００６７】
さらに、図７（Ｃ）に示すように、導光モジュール１の入射面２０Ａからの赤外線を出射部２２Ａへ導く導光板２７は多角形状であってもよい。図７（Ｃ）では、入射面２０Ａ、出射部２２Ａおよび導光板２５は、導光モジュール１を正面視した場合に、五角形状となっている。この導光板２７には、入射面２０Ａおよび出射部２２Ａの長手方向に沿った部分と、入射面２０Ａおよび出射部２２Ａに対し傾斜する部分を有するスリット２７１Ａ，２７２Ａ，２７３Ａ，２７４Ａ，２７５Ａが形成され、各スリット２７１Ａ，２７２Ａ，２７３Ａ，２７４Ａ，２７５Ａの間を導光路２７１，２７２，２７３，２７４，２７５としている。
【００６８】
また、図７（Ｄ）に示すように、導光路上の一部が他の部材からなっていてもよい。導光モジュール１の入射面２０Ａからの赤外線を出射部２２Ａへ導く導光部２８は、導光路端部２８１Ａ，２８２Ａ，２８３Ａと、導光路端部２８１Ｂ，２８２Ｂ，２８３Ｂと、導光路端部同士を接続し、一部が導光部２８とは異なる素材からなる導光路２９１，２９２，２９３を有している。導光路２９１は、導光路端部２８１Ａ，２８１Ｂを接続する。導光路２９２は、導光路端部２８２Ａ，２８２Ｂを接続する。導光路２９３は、導光路端部２８３Ａ，２８３Ｂを接続する。なお、この時の導光路２９１，２９２，２９３は、導光する性質を備えたものであればなんでもよい。
【００６９】
このように、入射面２１Ａかの赤外線を出射部２２Ａへ導光させる導光板の構成等は適宜変更可能である。
【符号の説明】
【００７０】
１−導光モジュール（導光体）
２０−本体部
２０Ａ−入射面
２０Ｂ−入射反射面
２１，２２−導光板
２３−傾斜面
２１Ａ，２２Ａ−出射部（出射面）
２１Ｂ，２１Ｃ，２１Ｄ，２１Ｅ−スリット
２２Ｂ，２２Ｃ，２２Ｄ，２２Ｅ−スリット
２１１−導光路（直線状導光路）
２１２，２１３，２１４，２１５−導光路（円弧状導光路）
２２１−導光路（直線状導光路）
２２２，２２３，２２４，２２５−導光路（円弧状導光路）
【図１】
0005218600.tif 000002
【図２】
0005218600.tif 000003
【図３】
0005218600.tif 000004
【図４】
0005218600.tif 000005
【図５】
0005218600.tif 000006
【図６】
0005218600.tif 000007
【図７】
0005218600.tif 000008